(57)【要約】【課題】  スーパーマーケット、コンビニエンスストアなどの店舗内、公共の通路などで、キャッシュディスペンサーでのメンテナンスや現金回収作業における目隠し、あるいは防災避難時のプライバシー保護の目的や、簡易的な目隠しに用い、しかも簡単に持ち運びできる仕切パネルを提供する。【解決手段】  周囲にバネ材からなる枠部９と、この枠部９の内側に布、化学繊維又は、樹脂シートからなるパネル部材２を少なくとも１枚以上連接して構成する仕切パネル１で、前記パネル部材２の前記枠部の下部には少なくともひとつの前記枠部を鋏み込むように固定した錘部材４を設けたことを特徴とする。【選択図】図１
2012017634.tif 000002
【特許請求の範囲】
【請求項１】
周囲にバネ材からなる枠部と、この枠部の内側に布、化学繊維又は、樹脂シートからなるパネル部材を少なくとも１枚以上連接して構成する仕切パネルで、
前記パネル部材の前記枠部の下部には少なくともひとつの前記枠部を鋏み込むように固定した錘部材を設けたことを特徴とする仕切パネル。
【請求項２】
請求項１記載の錘部材とは、前記枠部のパネル面の両面から鋏込む形態で固定する２つの固定アングルと、パネルの前記枠部の下部にパネルの幅方向に延出するベース基台とにより、前記バネ材の幅方向と厚み方向とを鋏持して固定することを特徴とする仕切パネル。
【請求項３】
請求項１ないし請求項２に記載の錘部材において、枠部材とベース基台との間には緩衝材を構成したことを特徴とする仕切パネル。
【請求項４】
請求項１ないし請求項３に記載の錘部材において、前記錘部材を構成するベース基台の下面には前記ベース基台よりも接地面積の大きな安定板を取り付けたことを特徴とする仕切パネル。
【請求項５】
請求項４の記載において、ベース基台と安定板とは脱着可能手段により接合すると共に、前記着脱可能手段にはマグネット材料を用いたことを特徴とする仕切パネル。
【発明の詳細な説明】
【技術分野】
【０００１】
本発明は、スーパーマーケット、コンビニエンスストアなどの店舗内、あるいは、これらの作業にかかわらず一般の顧客や通行人が往来する場所や公共の通路などで、キャッシュディスペンサーのメンテナンスや現金回収作業における目隠し、あるいは防災避難時のプライバシー保護の目的や、簡易的な目隠しに用いるパネル状の仕切パネルに関する。
【背景技術】
【０００２】
例えば、金融機関におけるキャッシュディスペンサー等におけるメンテナンスや現金回収は、壁面に備え付けられているキャッシュディスペンサーの裏側、つまり壁の裏側で行われるように設置、設計されており、メンテナンスや現金回収作業は、一般客の目につかないところで行われているのが一般的である。
また、最近ではＡＥＤ(自動体外式除細動器)の使用に代表されるように、公共の場で突如として人命の救助を行う場合などは、救助者のプライバシーを守る為にも、救助活動を一般公共の目から遮ることも必要になる。
【０００３】
しかしながら、スーパーマーケット、コンビニエンスストアなどの狭い店舗内に設置されるキャッシュディスペンサーは、設計上メンテナンスや現金回収の作業が前面開閉されて行われる構成であり、店舗内で行われるメンテナンスや現金回収、などの時にはどうしても一般客の目に付くところで処理されている。また救助活動の場合にあっては、簡単に目隠しができるような、目隠し効果を最大限に発揮して、簡易的に持ち運びの簡単な仕切環境の必要性が求められている。
【０００４】
【特許文献１】実公平７−４５６３８号公報
【特許文献２】特開２００６−１４３０７６号公報
【発明の概要】
【発明が解決しようとする課題】
【０００５】
スーパーマーケット、コンビニエンスストアなどの場合は、キャッシュディスペンサーが設置されている天井などに、そのキャッシュディスペンサーが覆えるようにカーテンレールを設置しておき、メンテナンスや現金回収作業の都度、カーテンで覆うことが提案された。しかし、店舗内のデザイン上好ましくない上、全店舗を工事することは、多額の設備費用がかかり現実的できない。
【０００６】
一方、人命救助の場合では、簡易的に目隠しができる仕切りの必要性があることから、軽量でコンパクトに持ち運べる公共の目を遮る遮蔽物の存在が求められるが、遮蔽効果を有するには遮蔽物の高さや幅などにも、ある程度の面積(大きさ)を要求されることに反して、簡易的に軽量かつコンパクトに持ち運べ、更には自立できるパネルを探すのは難しいのが現状である。
【０００７】
そこで、持ち運び式の目隠しが試みられ、特許文献１で開示されているマンホール屏風が提案された。この特許文献１に開示されるマンホール屏風は鉄製枠が使用された三ツ折形で構成され、必要により複数連結され、通行人がマンホールに落ちないように強固に作られていたものが開示されている。
【０００８】
この技術は、目隠しするというより通行人の侵入を阻止することを目的としているので、強固で重量があり、持ち運びには適していない。しかも店舗内は、狭い場所であり顧客や通行人が、その屏風にぶつかったりする可能性があり、顧客や通行人が怪我をしたりする問題が想定され使用できないことが分かった。
【０００９】
また、特に、スーパーマーケット、コンビニエンスストアなどの店舗内、公共の通路などで、キャッシュディスペンサーでのメンテナンスや現金回収作業は、短時間で素早く行うため作業員がその作業用カーテンを持ち運ぶにはあまりにも重量があり持ち運びには不便であった。
【００１０】
そこで、特許文献２で示されている自動車やベビーカー等で使用する日除け具が注目された。この日除け具の遮光部は、可撓環と、この可撓環の内側に張設され、可撓環の捻じれによって折り畳まれる遮光幕とからなるものが開示されている。
【００１１】
しかしながら、この日除け具は、自動車やベビーカー等に利用する際は、遮光部を支持する支持部に取り付けられているので、固定しやすいが、店舗や通路など、なにもない所に目隠しを設置、固定することはできなかった。また、収納及び収納状態から設置状態、さらに収納を繰り返すときの操作性も考えられていなかった。
【００１２】
そこで、本発明者は、特願２００９―３５８６４号公報により、周囲にバネ材からなる枠部と、この枠部の内側に布、化学繊維又は、樹脂シートからなるカーテン部材からなる複数の屏風部材からなり、この屏風部材同士の周囲の一部を縫い合わせて連接してなるカーテン屏風（仕切パネル）を提案した。
【００１３】
さらに、前記カーテン屏風には、平面が台形状に開いた状態で安定して設置できるように下部に錘部材を設けたものを提案したが、前記枠部とこの下部に取り付ける錘部材の取り付け状態が重要であることがわかった。
【００１４】
以上述べたように、スーパーマーケット、コンビニエンスストアなどの店舗内、公共の通路などで、キャッシュディスペンサーでのメンテナンスや現金回収作業、あるいは、人命救助などこれらの作業にかかわらず一般の顧客や通行人が往来する場所で作業する際、作業場所を完全に隔離するのではなく、作業現場の目隠しになることが大切である。そして更に、簡単に持ち運びができ、自立した目隠しであって、より安定した状態で起立させることができる仕切パネルを目的とする。
【課題を解決するための手段】
【００１５】
上記目的を達成するために請求項１に係る発明は、周囲にバネ材からなる枠部と、この枠部の内側に布、化学繊維又は、樹脂シートからなるパネル部材を少なくとも１枚以上連接して構成する仕切パネルであって、前記パネル部材の前記枠部の下部には少なくともひとつの前記枠部を鋏み込むように固定した錘部材を設けたことを特徴としている。
【００１６】
また、請求項２に係る発明は、前記仕切パネルの錘部材としては、前記枠部のパネル面の両面から鋏込む形態で固定する２つの固定アングルと、パネルの前記枠部の下部にパネルの幅方向に延出するベース基台とにより、前記バネ材の幅方向と厚み方向とを鋏持して固定することを特徴としている。
【００１７】
また、請求項３に係る発明は、枠部とベース基台との間には緩衝材を構成し、また請求項４では、前記錘部材を構成するベース基台の下面には前記ベース基台よりも接地面積の大きな安定板を脱着可能に取り付けたことを特徴としている。
【００１８】
さらに、請求項５に係る発明は、請求項４の記載において、ベース基台と安定板との脱着可能手段としてマグネット材料を用いたことを特徴とするものである。
【図面の簡単な説明】
【００１９】
【図１】仕切パネル１を平面に広げた状態を示す説明図。
【図２】仕切パネル１で、パネル部材２単位に分割して描画した状態を示す説明図。
【図３】錘部材４に注目しその全体を斜視図で示す説明図。
【図４】錘部材４の構成を斜視図で示す説明図。
【図５】錘部材４とバネ材１０との関係を斜視図で示す説明図。
【図６】錘部材４に自立を安定させる為に板状の安定板を取り付けた状態を示す説明図。
【発明を実施するための形態】
【００２０】
図１は、仕切パネル１を平面に広げた状態で、作業をしている側の外側から見える状態を示すもので、周囲にバネ材１０からなる枠部９と、この枠部９の内側に布、化学繊維又は、樹脂シートからなる複数のパネル部材２から構成されている。
【００２１】
枠部９は、板状のバネ材１０で構成され、捻じれた状態でも復元性のあるものを選択すれば良い。また、パネル部材２は、ナイロン生地やポリエステル生地といった化学繊維又は布、樹脂シートなど市場に流通する原反を利用するものであり、原反や縫製の状態について問うものでも無い。
【００２２】
各パネル部材２は、枠部９によって広げられるが、パネル部材２を矩形（但し、四隅はアールが付加される）の生地の周囲を折り返し、枠部９を内包できるように点線で示される縫い目３の形状に縫い付けることで四隅を除く４辺をほぼ直線上に保たせることができる。そして、図１のように、各パネル部材２同士が隣接する長辺部を縫いつけた連接部５から構成され仕切パネル１が形成される。
【００２３】
また、図１は作業をする側からみた状態を示すもので、中央のパネル部材２の両側の各パネル部材２を連接部５で手前側にハの字状に折り曲げ、キャッシュディスペンサーや救命者、あるいは周囲からの目を遮る対象を囲うように配置して使用するものである。その際、仕切パネル１を広げた状態で床に設置するために、錘部材４が前記仕切パネル１の下部に取り付け固定されており、この錘部材４は、棒状のアルミ材料などの金属か、樹脂材料でできており、各パネル部材２の下辺部の枠部９を挟み込んで固定するように取り付けられている。
【００２４】
図２は仕切パネル１を各パネル部材２単位に分割した状態を示した正面図である。各パネル部材２の間には連接部５で接合されており、この連接材は各パネル部材２の左右端に対となる構造になっていることから、図中では３枚のパネル部材２で描画しているが、更にその左右(図面では紙面の横方向からはみ出す形)にもパネル部材２を連接することができる。
【００２５】
ここでは、連接部５としてマジックテープ（登録商標）のフック部(５ａ)とループ部(５ｂ)との雄雌を一対として構成しており、パネル部材２はその使用する場面や必要環境に応じて自由に連接して使用することができる。なお、ここで用いる連接部５はマジックテープを用いているが、パネル部材２を連接できる手段であれば、ボタン止め、ファスナーなどを用いても構わない。加えて、パネル部材２同士を直接縫製により縫いつけても連接効果を奏することは言うまでもない。  
【００２６】
図３〜図５に示す斜視図は、本発明の特徴である錘部材４に注目した説明図である。図１あるいは図２に示す、パネル部材２の下部に固定してある錘部材４を取り出したのが図３の斜視図で拡大して描画したものである。
【００２７】
図４はその錘部材４を分解して示した斜視図で、次に述べる部品から構成される。枠部９パネル面の両面から鋏込む形態で固定する２つの固定アングル６、固定アングル６と組みになって使用しベースとなるペース基台７、更に、バネ材１０とベース基台７との間に配置する緩衝材１１、以上の部材を一体にして固定するネジ１２とにより、各パネル部材２の下部に固定するものである。
【００２８】
図４に示すように、各パネル部材２の下部に位置するバネ材１０は、枠部９からバネ材１０を露出させた状態にして、固定アングル６の側面部６Ｓでバネ材１０の幅方向１０Ｗを挟む形で固定し、更には固定アングル６の上部６Ｕとベース基台７とでバネ材１０の厚み方向１０Тを挟持することで、枠部９すなわちバネ材１０を固定し、押さえ作用がパネル部材２全体へと波及することにより、仕切パネル１の自立を安定にすることができる。
【００２９】
更に、バネ材１０とベース基台７との間には、固定アングル６で挟持した時の厚み方向の余裕を吸収し、固定をより確実にするために弾力性(例えば硬質ゴムや樹脂材料)のある緩衝材１１を配置し、固定アングル６とベース基台７とをネジ１２でしっかりと固定することで、図５に示すような錘部材４を完成させ、自立の安定性を向上させることができる。以上のことを各々のパネル部材２にも同様に錘部材４を施し固定し、連接部５で複数枚のパネル部材２を接続することにより仕切パネル１を構成する。
【００３０】
また、上述する自立の更なる安定化を狙い、図６に示すような安定板８を取り付けた錘部材４の構成について説明する。
図６に示す斜視図は、図３で示す錘部材４の下部に安定板８を取り付けた構成となっており、錘部材４の下部すなわち、ベース基台７の固定アングル６を配置する反対の面(７ｂ)と、安定板８とを接合した形にしたものである。
【００３１】
ベース基台７と安定板８とを一体にすることで、安定板８の接地面積はベース基台７の接地面積に比べてより大きな接地面積を得ることができるので、ベース基台７の自立安定性に比べてより強い自立安定性を確保することができる。
なお、図６では安定板８の形状を丸板で描画しているが、安定板８の形状に拘るものではない。しかしながら、一般公共の場で使用することを考えると、角部ができる多角形の形状をした安定板８は、角部を十分に面取りするなどして危険性を低減した上で、十分注意をしながら使うことが望ましい。
【００３２】
なお、ベース基台７と安定板８とはマグネットシート１３により接合することで、ベース基台７と安定板８は脱着可能にすることができることから、元来仕切パネル１は小さく畳めて収納できることに特徴があることから、ベース基台７と安定板８を分離することで、共に小さく収納できるという効果を得ることができる。
【００３３】
そのため、ベース基台７にアルミ材料を用い、安定板８に鉄板材料の板材を用いた場合を例に考えると、ベース基台７とマグネットシート１３とは両面粘着テープで貼り合わせ、マグネットシート１３と安定板８との接合には、マグネットシート１３の磁力を利用して接合することで、非常に簡単に脱着可能な構成を得ることができる。勿論、ベース基台７と安定板８を共に磁性体金属で製作すれば、ベース基台７と安定板８を直接マグネットシート１３により接合できることは言うまでもなく、ベース基台７と安定板８をここで挙げる他の材質で製作した場合には、当該材質で最も相性の良い接合方法を選べば良いのである。
【００３４】
なお、本発明の仕切パネル１をコンパクトに折りたたんだ状態は、特に図示はしていないが、各パネル部材２を重ね合わせて折りたたむことにより、図１に示す仕切パネル１の大きさに対して約１／３の大きさにまで小さくすることができるのも最大の特徴である。
【００３５】
このように構成された仕切パネル１であれば、収納時は小さくコンパクトにたたむことができるので、収納場所も取らずにまた仕切パネル全体の重さも軽量であることから、仕切パネルを広げて使うことで大きな遮断効果を得ながらも、持ち運びに便利であることから、スーパーマーケット、コンビニエンスストアなどの店舗内、公共の通路などで、キャッシュディスペンサーでのメンテナンスや現金回収作業、あるいは、人命救助などこれらの作業にかかわらず一般の顧客や通行人が往来する場所で作業する際、作業場所を完全に隔離することもなく、スポット的な作業現場の目隠しを簡単に実現できるきわめて便利な仕切パネル１を提供できる。
【００３６】
以上のように、本発明の仕切パネルは、持ち運びにおいても、操作性においても安定して床面に起立させることができ、きわめて使い勝手のよいものが提案できる。しかも、店舗や公共の狭い通路などで一般客や通行人が万が一、仕切パネル１に接触しても、仕切パネル１自体の殆どが布生地で構成されており、また布生地周囲の枠部９にバネ材１０によりパネル部材２を形取っていることから、簡単に変形したりするので、怪我をしたりすることがなく産業上きわめて有益なものとなる。
【符号の説明】
【００３７】
１・・・仕切パネル
２・・・パネル部材
３・・・縫い目
４・・・錘部材
５(５ａ、５ｂ)・・・連接部
６ａ、６ｂ・・・固定アングル
７(７ｂ)・・・ベース基台
８・・・安定板
９・・・枠部
１０・・・バネ材
１１・・・緩衝材
１２・・・ネジ
１３・・・マグネットシート
【図１】
2012017634.tif 000003
【図２】
2012017634.tif 000004
【図３】
2012017634.tif 000005
【図４】
2012017634.tif 000006
【図５】
2012017634.tif 000007
【図６】
2012017634.tif 000008